(57)【特許請求の範囲】
【請求項１】
換気口を開閉するように回動自在に軸支される扉と、
この扉を開閉動作させるために進退動作される可動ピストンを有するアクチュエータと、
前記扉の支軸部を回動自在に支持する支軸保持部を有し前記アクチュエータが作動されることにより、前記可動ピストンの動きに従って前記支軸部に直交する方向に進退動作するリテーナ部材と、
このリテーナ部材を進退動作可能な状態で保持するホルダ部材とを備え、
このホルダ部材からリテーナ部材側に突出し前記扉の基端部が閉状態で臨む切り欠きを介して扉の基端部の可動ピストン側の側面に係合可能に臨む係合段部を設け、この係合段部の角部を、扉が開動作するときに上記基端部側面に作用点として係合する第１の係合部とし、
前記ホルダ部材からリテーナ部材側に突出し前記扉の基端部の厚み方向の係合面に係合可能に臨む係合凸部を設け、この係合凸部の角部を、扉が閉動作するときに上記基端部係合面に作用点として係合する第２の係合部とするとともに、
前記扉が開動作するときに、前記可動ピストンの動きに従って前記リテーナ部材を前記ホルダ部材から遠ざかる向きに移動させ、前記扉が閉動作するときに、前記可動ピストンの動きに従って前記リテーナ部材を前記ホルダ部材に近づく向きに移動させるように構成したことを特徴とする換気装置。
【請求項２】
請求項１記載の換気装置において、
第１の係合部が扉の基端部側面に係合している扉の開動作時には、第２の係合部は扉の基端部側とは非係合状態を維持し、第２の係合部が扉の基端部係合面に係合している扉の閉動作時には、第１の係合部は扉の基端部側とは非係合状態を維持するように構成されていることを特徴とする換気装置。
【請求項３】
請求項１または請求項２記載の換気装置において、
扉の支軸部は、扉の厚み方向において偏心した位置に設けられていることを特徴とする換気装置。
【請求項４】
請求項１、請求項２または請求項３記載の換気装置において、
ホルダ部材の係合段部と係合凸部とは、扉の支軸部の軸線方向において位置をずらして形成されていることを特徴とする換気装置。
【請求項５】
請求項１ないし請求項４のいずれか１項に記載の換気装置において、
アクチュエータの可動ピストンのリテーナ部材とは反対側の端部に、手動操作で該可動ピストンを強制的に進退動作させる手動閉手段を設けたことを特徴とする換気装置。
【請求項６】
請求項５記載の換気装置において、
手動閉手段は、前記可動ピストンの軸線から偏心した位置であって該軸線に直交する方向を支軸として回動操作可能に設けられた操作レバーと、この操作レバーが回動操作されることにより選択的に可動ピストン側に移動し、該可動ピストンを強制的に前記リテーナ部材側に移動させる押圧子とを備えていることを特徴とする換気装置。
【発明の詳細な説明】
【技術分野】
【０００１】
本発明は、ソレノイドをアクチュエータとし、該ソレノイドに印加することで換気口を開閉する換気装置に関し、特に手動でも印加に関係なく開閉可能とした換気装置の改良に関する。
【背景技術】
【０００２】
近年、各種の建築物では気密性が高くなっており、換気扇や換気用ダンパ等の換気装置が必要不可欠となっている。特に、高気密性のマンション等においては、レンジフード等といった換気扇が作動すると、室内が負圧となって、換気用ダンパの扉や出入り口扉、ドアなどの開閉が困難となる事象が生じる。
【０００３】
このような負圧による換気扉の開閉問題を解決するものとして従来から、図１０（ａ）に示すような換気装置が知られている。これを簡単に説明すると、図中１は換気口、２は支軸２ａにより開閉自在に支持された扉であり、この扉２は、付勢力の弱い板ばね３で閉方向に付勢した構造となっている。このような構造とすれば、扉２は、室内が負圧となることで板ばね３等の付勢力に抗して開方向に動くことになる。
【０００４】
しかし、このような従来構造によれば、外部からの強風で扉２が開動作しないような構造とすることが必要で、また換気扇の風量（負圧の大きさ）に合わせた構造とすることが必要であった。さらに、このような構造を採ると、扉２を閉方向に付勢する板ばね３（またはコイルばね等の付勢手段）をかなり大型のものとする必要があるという問題もあった。
【０００５】
また、前述したような換気用ダンパ等の換気装置は、自然換気で充分な換気が行える場合に効果を発揮し得るものであるが、開け忘れや閉じ忘れがないように換気扇と連動させて開閉が行える電動式の換気装置が一般的である。
【０００６】
このような電動式の換気装置として従来一般には、たとえば図１０（ｂ）に示すような構造のものが知られている。これを簡単に説明すると、図中５は扉２を閉方向に引っ張るワイヤ、６は該ワイヤ５を巻き取る巻き取り部を有する電動モータである。そして、扉２は、図示せぬ付勢手段により常時は開方向に付勢されており、必要時にワイヤ５を引っ張ることにより閉動作するようになっている。
【０００７】
しかし、このような従来構造では、ワイヤ５の曲線率やモータ６のレイアウト、モータ６のサイズなどで、装置の室内側の装着部が大きくなり、またコスト高となるといった欠点があった。また、開動作時には、扉２が室内側に大きく突出することになるという不具合もあった。
【０００８】
また、上述したような電動式の換気装置にあっては、手動でも開閉可能とすることが望まれている。そして、このような要請に応えるために、扉の電動式の開閉機構とは別に、強風時などのように開口したくない場合には手動でも閉状態で固定できる機構を併設したものも、従来既に提案されている（例えば、特許文献１参照）。
【０００９】
このような従来の換気装置を簡単に説明すると、この換気装置は、換気口を開閉する２枚のバタフライ式の扉を備え、これら２枚の扉を板ばね等の付勢手段により閉じる方向に付勢するとともに、ソレノイドの可動コアの進退動作により開閉する構造となっている。そして、上記の可動コアに当接するねじ軸を設け、該ねじ軸を回動操作することで、手動でも扉を開閉できるような構造となっている。
【００１０】
このような構造によれば、換気扇の作動に連動して扉を開動作することができるから、上述した負圧による扉の開け閉めへの障害はなくなり、また室内の換気用として換気口を手動で開動作させることもできるといった利点がある。
【００１１】
【特許文献１】実公昭６３−２６６７５号公報
【発明の開示】
【発明が解決しようとする課題】
【００１２】
しかし、上述した従来の構造では、扉を閉方向（または開方向）に付勢するための板ばね、またはトーションスプリングやコイルばね等といった付勢手段が必要となり、また該付勢力によって扉とこれが閉状態で当接する部材との当接面に加わる応力が大きく、大型で堅牢な構造とする必要があった。
【００１３】
特に、気密性が要求される建造物では、上述した当接面部分での気密性が求められるから、上記の付勢力による影響を考慮し、しかも経時的な変化にも対応できるシール構造を採ることが必要で、構造が複雑となるといった問題もあった。
【００１４】
本発明はこのような事情に鑑みてなされたものであり、板ばね等の付勢手段をなくし、構成部品点数を削減し、全体の構成を簡素化するとともに、小型化、低コスト化が図れ、さらに要求されている気密性の確保や強度確保を図ることができる換気装置を得ることを目的とする。
【課題を解決するための手段】
【００１５】
このような目的に応えるために本発明（請求項１記載の発明）に係る換気装置は、換気口を開閉するように回動自在に軸支される扉と、この扉を開閉動作させるために進退動作される可動ピストンを有するアクチュエータと、前記扉の支軸部を回動自在に支持する支軸保持部を有し前記アクチュエータが作動されることにより、前記可動ピストンの動きに従って前記支軸部に直交する方向に進退動作するリテーナ部材と、このリテーナ部材を進退動作可能な状態で保持するホルダ部材とを備え、このホルダ部材からリテーナ部材側に突出し前記扉の基端部が閉状態で臨む切り欠きを介して扉の基端部の可動ピストン側の側面に係合可能に臨む係合段部を設け、この係合段部の角部を、扉が開動作するときに上記基端部側面に作用点として係合する第１の係合部とし、前記ホルダ部材からリテーナ部材側に突出し前記扉の基端部の厚み方向の係合面に係合可能に臨む係合凸部を設け、この係合凸部の角部を、扉が閉動作するときに上記基端部係合面に作用点として係合する第２の係合部とするとともに、前記扉が開動作するときに、前記可動ピストンの動きに従って前記リテーナ部材を前記ホルダ部材から遠ざかる向きに移動させ、前記扉が閉動作するときに、前記可動ピストンの動きに従って前記リテーナ部材を前記ホルダ部材に近づく向きに移動させるように構成したことを特徴とする。
【００１６】
本発明（請求項２記載の発明）に係る換気装置は、請求項１記載の換気装置において、第１の係合部が扉の基端部側面に係合している扉の開動作時には、第２の係合部は扉の基端部側とは非係合状態を維持し、第２の係合部が扉の基端部係合面に係合している扉の閉動作時には、第１の係合部は扉の基端部側とは非係合状態を維持するように構成されていることを特徴とする。
【００１７】
本発明（請求項３記載の発明）に係る換気装置は、請求項１または請求項２記載の換気装置において、扉の支軸部は、扉の厚み方向において偏心した位置に設けられていることを特徴とする。
【００１８】
本発明（請求項４記載の発明）に係る換気装置は、請求項１、請求項２または請求項３記載の換気装置において、ホルダ部材の係合段部と係合凸部とは、扉の支軸部の軸線方向において位置をずらして形成されていることを特徴とする。
【００１９】
本発明（請求項５記載の発明）に係る換気装置は、請求項１ないし請求項５のいずれか１項に記載の換気装置において、アクチュエータの可動ピストンのリテーナ部材とは反対側の端部に、手動操作で該可動ピストンを強制的に進退動作させる手動閉手段を設けたことを特徴とする。
【００２０】
本発明（請求項６記載の発明）に係る換気装置は、請求項５記載の換気装置において、手動閉手段は、前記可動ピストンの軸線から偏心した位置であって該軸線に直交する方向を支軸として回動操作可能に設けられた操作レバーと、この操作レバーが回動操作されることにより選択的に可動ピストン側に移動し、該可動ピストンを強制的に前記リテーナ部材側に移動させる押圧子とを備えていることを特徴とする。
【発明の効果】
【００２１】
以上説明したように本発明に係る換気装置によれば、ソレノイドをアクチュエータとし、これを印加することで扉を開動作または閉動作させる換気装置において、換気口の流量を制御する扉を備え、この扉とソレノイドの可動ピストンとの連動手段を、それぞれの扉を開状態と閉状態との両方の状態で所要の状態に保持することができるように構成しているから、構成部品点数が少なく、構造が簡素化できるとともに、扉とこの扉の当接面に閉状態において当接する被当接面とによって確実に閉状態を維持することができる。
【００２２】
また、本発明によれば、扉と固定側との当接面間での応力を小さくすることが可能で、小型化が可能となる。そして、このような構成では、一枚の扉で開閉の両動作を行わせることができるといった利点もある。
【００２３】
さらに、本発明によれば、扉の開閉動作の支点（支軸部）とこれを開動作または閉動作させるための作用点とが隣接しているため、当接面に加わる応力が小さく、構造の小型化、アクチュエータの小型化を実現することができる。
【００２４】
また、本発明によれば、従来構造では、扉と扉の合わせ面が回動するためにクリアランスを設ける必要があり、その結果、全閉したときに隙間が生じて気密性が悪くなっていたが、本発明によれば、面接触によるために気密性が高いという利点がある。
【００２５】
さらに、本発明によれば、接触面が開閉両動作過程で異なるため、リンク機構に与える負荷が小さく、耐久性の面で優れている。また、アクチュエータが所定量以上に進出しても、ホルダの外壁に設けたストレート部により開状態を維持することができるという利点もある。
【００２６】
また、本発明によれば、アクチュエータの動作とは関係なく、手動操作により強制的に扉を閉動作させることが可能であり、アクチュエータが破損しても換気口を確実に閉状態とすることができるという利点がある。
【００２７】
さらに、本発明によれば、従来問題であった大型化などといった不具合を生じることがない等の利点もある。
【００２８】
また、本発明によれば、アクチュエータに、たとえば自己保持型のソレノイドを選定した場合には、扉の所要の位置での開閉状態の保持に電力が必要なくなり、扉の開動作、閉動作さらにその状態での維持など、動作が簡単かつ確実となり、しかも位置検出手段などは不要となり、コスト低減を図れる等の利点がある。
【００２９】
さらに、本発明によれば、段階的にストロークさせるラッチ式のアクチュエータであっても、全開、全閉の開度まで制御することが確実に行えるという利点がある。
【００３０】
そして、このような構成によれば、レンジフード等の換気扇が作動したときにおいて室内が負圧とならないように連動して換気口を開動作させることが可能であり、しかも手動閉手段を設けることで、手動によっても開閉動作可能で、室内換気用の換気口ともなる換気装置を得ることができるといった効果を奏することができる。
【発明を実施するための最良の形態】
【００３１】
図１ないし図９は本発明に係る換気装置の一実施形態を示し、この実施形態では、建物の室内と室外との間に配設されて換気を行う換気装置であって、２枚の半円形状を呈する扉で換気口を開閉する、いわゆるバタフライバルブタイプの開閉羽根として用いた場合を示す。
【００３２】
これらの図において、全体を符号１０で示す換気装置は、一端にフランジ部１１ａを有する円筒状部材１１を備え、この円筒状部材１１の内部が換気口１２を形成する。この円筒状部材１１において他端側の内面部分には、環状段部１３が形成され、その室外側の当接面１３ａに、換気口１２を開閉する２枚の半円板形状の扉１４，１５の周縁部が面接触状態で当接するように構成されている。これら２枚の扉１４，１５は、円筒状部材１１の換気口１２を覆うように配置され、それぞれが円筒状部材２のほぼ直径方向に伸びる軸線を中心として回動動作することにより、該換気口１２を開閉するバタフライバルブタイプの構造となっている。
【００３３】
なお、上記の円筒状部材１１は、全体の図示を省略した建物の壁部（窓のサッシや壁等）に形成された開口部を塞ぐようにして室外側あるいは室内側から固定され、これにより換気口１２が室外側と室内側とを選択的に連通、遮断するための通路となるように構成されている。
また、上述した円筒状部材１１の環状段部１３の上、下部分は、平坦部として形成され、扉１４，１５の対応する部分も切り欠き形成されている。
【００３４】
前記扉１４，１５の換気口１２の中心部分に相当する位置には、コ字状の切り欠きが形成され、その内側であって室内側に偏心した位置には、各扉１４，１５の回動中心となる支軸部１４ａ，１５ａが形成されている。
【００３５】
さて、本発明によれば、上述した支軸部１４ａ，１５ａを中心とする扉１４，１５の開閉動作を行わせるための扉開閉機構部２０を、以下のように構成している。
すなわち、図１、図４および図５等から明らかなように、円筒状部材１１の換気口１２の中央部分には、ほぼ角筒形状を呈する本体部２１が配置され、ステーにより円筒状部材１１に一体に設けられている。
【００３６】
前記本体部２１内には、本発明に係る換気装置１０の駆動源である自己保持型の電磁ソレノイド２２が組み込まれ、その内部には、ソレノイド鉄心である可動ピストン２３が嵌挿されている。この可動ピストン２３の室外側の端部には、リテーナ部材３０が軸線方向に可動可能な状態で嵌装され、係止リングで係止して設けられている。このリテーナ部材３０は、左右に突出するほぼＣ字状を呈する上下二対の支軸保持部３０ａ，３０ｂを備え、これらの上下支軸保持部３０ａ，３０ｂに前記扉１４，１５の支軸部１４ａ，１５ａが支持されることで、扉１４，１５が開閉自在に支持されることになる。
【００３７】
図中３１はこのリテーナ部材３０の室外側に、これを保持するように配置されるホルダ部材で、前記扉１４，１５の中央の切り欠き内にはめ込まれた状態となるように構成されている。そして、このホルダ部材３１は、その上、下部から室内側に向かって突設された係止片３１ａ，３１ｂの先端爪部が、前記本体部２１を保持するステー側に形成された係止部に掛け止めされるとともに、該先端爪部に所定間隔をおいて突設されたリブ部が前記ステー側の係止部に係合することで、組み付け固定されるようになっている。
【００３８】
ここで、このホルダ部材３１を、その係止片３１ａ，３１ｂの先端爪部とリブ部との間にステー側の係止部を挟み込んだ状態で固定するのは、扉１４，１５の全閉時には先端爪部が、全開時にはリブ部が、ステー側係止部に係止されることで、ホルダ部材３１を、リテーナ部材３０やこれに作用する付勢力等の動きに抗して、所要の固定状態を維持するためのものである。
【００３９】
そして、このホルダ部材３１内で前記リテーナ部材３０は、移動可能な状態で保持され、コイルばね３３の付勢力により室外側に付勢され、ホルダ部材３１の内側に圧接されるように構成されている。図中３３ａは可動ピストン２３の小径部に嵌装された小径なコイルばねで、リテーナ部材３０を可動ピストン２３上に保持するためのものである。
【００４０】
一方、前記円筒状部材１１の室内側の端部には、図１、図３、図５、さらに図９等から明らかなように、前記ソレノイド２２を貫通して配置される可動ピストン２３の小径ロッド部２３ａの先端に選択的に係合することにより、扉１４，１５を手動で閉動作させるための手動閉機構部４０が設けられている。この手動閉機構部４０は、前記扉開閉機構部２０における本体部２１の室内側端部に配置されるカバー部材４２を備え、このカバー部材４２の周囲には、前記円筒状部材１１の室内側端部に形成された環状段部に係止保持されるフィルタ取付用リング枠４１が、その中央部４１ａを介して固定されている。
【００４１】
この手動閉機構部４０におけるカバー部材４２の中央寄りの部分には、手動で回動操作される操作レバー４３が、前記可動ピストン２３の軸線から偏心した位置であって該軸線に直交する方向を支軸としてカバー部材４２の外方端に回動操作可能に設けられている。この操作レバー４３の回動端には係合ローラ４３ａが設けられ、カバー部材４２内に軸線方向に移動可能に保持された押圧子としてのスライダ４４およびその中央部に設けた押圧部４５をソレノイド２２側に押圧し、前記可動ピストン２３の小径ロッド部２３ａに係合してこれを強制的にリテーナ部材３０側に移動させ得るように構成されている。なお、４６はスライダ４４を操作レバー４３側に付勢するコイルばね、４７はコイルばね受け４６とソレノイド２２の受けとを担うスペーサである。
【００４２】
上述した構成において、本発明によれば、図６および図７に示されるように、前記ホルダ部材３１の係止片３１ａ，３１ｂの基端部側には、側方に突出する係合段部３５，３５が設けられている。そして、この係合段部３５，３５の室外側の角部が、扉１４，１５を開動作させる際の作用点として扉１４，１５の基端部の面方向の側面３６，３６に係合する第１の係合部３５ａ，３５ａとなっている。なお、この係合段部３５，３５のホルダ部材３１の本体部との間には、扉１４，１５が閉状態のときに、該扉１４，１５の基端部が臨む切り欠き３５ｂ，３５ｂが形成されている。また、係合段部３５，３５の側面部は、扉１４，１５の開状態において基端部側面３６，３６に当接するストレート部３５ｃ，３５ｃとして形成されている。
【００４３】
さらに、本発明によれば、図６および図８に示されるように、前記ホルダ部材３１の内側面には、軸線方向に突出する係合凸部３７，３７が突設されている。この係合凸部３７，３７の先端の角部が、扉１４，１５の基端部の厚み方向の係合面３８，３８が扉１４，１５の閉動作時の作用点として係合する第２の係合部３７ａ，３７ａとなっている。なお、この係合凸部３７，３７の外側の側面部は、扉１４，１５の閉状態において基端部係合面３８，３８に当接するストレート部３７ｂ，３７ｂとして形成されている。
【００４４】
以上の構成による換気装置１０によれば、扉１４，１５の開閉動作は次のようにして行われる。
すなわち、図１に示すような扉１４，１５が閉状態にあるときに、電磁ソレノイド２２に電流を印加し、図中右側に移動させる。すると、図６の（ａ）〜（ｇ）、図７に示すように、前記リテーナ部材３０の支軸保持部３０ａ，３０ｂに扉支軸部１４ａ，１５ａを支持されている扉１４，１５の基端部側面３６が、ホルダ部材３１の係合段部３５における第１の係合部３５ａに係合し、これを作用点として図６の（ｄ）、（ｅ）で示すように回動して、図６の（ｆ）で示すような開状態となる。それ以上に、可動ピストン２３が移動し、これに伴ってリテーナ部材３０がホルダ部材３１から遠ざかる向きに移動しても、側面３６がストレート部３５ｃ上に摺接しているから、開状態を維持することになる。上記のストレート部３５ｃによれば、鉄心である可動ピストン２３のストロークが足りない場合を吸収できることになる。
【００４５】
なお、開状態にてソレノイド２２への通電を止めても開状態を維持し、閉状態の時も閉状態を維持する。
また、上述した扉１４，１５が閉状態にあるときには、基端部は切り欠き３５ｂ内でホルダ部材３１の本体部側に位置し、側面３６は第１の係合部３５ａとは非接触状態にある。それが、可動ピストン２３の動きに応じて移動するリテーナ部材３０の移動にしたがって、図６の（ａ）、（ｂ）から（ｃ）の状態となるのである。
【００４６】
さらに、このような扉の開方向への作動では、図６の（ａ）〜（ｇ）から明らかなように、扉１４，１５の基端部の厚み方向の係合面３８は、係合凸部３７とは全閉状態、全開状態を除き、非接触状態となっている。
【００４７】
一方、扉１４，１５が開状態にあるときに、電磁ソレノイド２２に電流を印加し、図中左側に移動させる。すると、図６において上述した開動作とは逆に（ｇ）から（ａ）の状態へと動作する。すなわち、図６の（ｇ）〜（ａ）、さらに図８に示すように、前記リテーナ部材３０の支軸保持部３０ａ，３０ｂに扉支軸部１４ａ，１５ａを支持されている扉１４，１５の基端部の厚み方向の係合面３８が、ホルダ部材３１の係合凸部３７における第２の係合部３７ａに係合し、これを作用点として図６の（ｅ）、（ｄ）で示すように回動して、図６の（ｃ）で示すような閉状態となる。それ以上に、可動ピストン２３が移動し、これに伴ってリテーナ部材３０がホルダ部材３１に近づく向きに移動しても、係合面３８はストレート部３７ｂ上に摺接しているから、閉状態を維持することになる。上記のストレート部３７ｃによれば、鉄心である可動ピストン２３のストロークがオーバーするのを吸収できることになる。
【００４８】
なお、開状態にてソレノイド２２への通電を止めても開状態を維持し、閉状態の時も閉状態を維持する。
また、このような扉の閉方向への作動では、図６の（ｇ）〜（ａ）から明らかなように、扉１４，１５の基端部の側面３６は、係合段部３５とは全閉状態から全開状態に至るときには、非接触状態となっている。
さらに、上記の各係合部３５，３７におけるストレート部３５ｃ、３７ｃにより、部品単体、およびアッセンブリ組立時のがた付きをも吸収することができることになる。
【００４９】
前記手動閉機構部４０は、次のように動作する。
すなわち、操作レバー４３は、図９（ａ）に示すように、通常は、コイルばね４６の付勢力により押圧子であるスライダ４４がカバー部材４２内で可動ピストン２３から離れる方向に付勢され、これに伴い図中時計方向への回動習性が与えられた状態で、その状態を維持している。
【００５０】
この状態において、扉１４，１５を強制的に閉動作させたいときには、操作レバー４３を、図中反時計方向に回動操作し、図９の（ｂ）に示す状態とする。すると、この操作レバー４３の先端の係合ローラ４３ａが、スライダ４４を可動ピストン２３側に移動させ、押圧部４５により該可動ピストン２３の小径ロッド部２３ａの先端に係合してこれを押圧することができるのである。
【００５１】
このようにすると、可動ピストン２３は、扉１４，１５がどのような開状態にあっても、強制的にホルダ部材３１側（図中左側）に移動することになり、上述した図６において（ｇ）〜（ａ）で説明した扉１４，１５の閉動作を行い、図１に示すような閉状態となるのである。よって、このような構成によれば、電磁ソレノイド２２への印加とは無関係に、強制的に扉１４，１５を閉状態とすることができるのである。
【００５２】
ここで、操作レバー４３は、図９の（ｂ）に示すように、その支軸部からの水平方向の線分よりも係合ローラ４３ａの中心が図中下方に位置することにより、いわゆる死点越え状態になり、コイルばね４６の付勢力によりその状態を維持し、扉１４，１５を閉状態のままとすることができるのである。
【００５３】
このような構成による手動閉機構部４０によれば、操作レバー４３の操作を簡単かつ確実に行うことができ、またコイルばね４６等の付勢力も小さくてよいため、操作性が向上することになるのである。また、操作レバー４３の固定を少ない部品点数で簡単な構造による構成で行えるから、小型化も可能で、その利点は大きい。
【００５４】
そして、このような手動閉機構部４０では、ソレノイド２２の動作とは無関係に扉１４，１５を手動で閉動作できるものであり、しかもその操作部は、室内側にあることから、操作が容易である等の利点もある。
【００５５】
なお、本発明は上述した実施形態で説明した構造には限定されず、換気装置１０を構成する各部の形状、構造等を適宜変形、変更し得ることはいうまでもない。
たとえば上述した実施形態では、アクチュエータとしての電磁ソレノイド２２を自己保持型とした場合を説明したが、これに限定されないことは言うまでもない。
【００５６】
また、上述した実施形態では、一般的な建造物の室内の換気口に適用する住宅設備用の換気装置１０として説明したが、本発明はこれに限定されず、種々の分野における扉の開閉に適用できるものであり、たとえばキャンピングカー等の居室を有する換気口の開閉を行う換気装置として用いてもよいことは言うまでもない。
【図面の簡単な説明】
【００５７】
【図１】本発明に係る換気装置の一実施形態を示す要部断面図である。
【図２】本発明に係る換気装置の外観を示し、（ａ）は室外側から見た概略斜視図、（ｂ）は室内側から見た概略斜視図である。
【図３】本発明に係る換気装置において特徴とする扉の開閉機構部の概要を説明するためのものであり、（ａ）は扉が閉じている状態での概略斜視図、（ｂ）は片側の扉を取り外した状態での概略斜視図である。
【図４】本発明に係る換気装置において室外側から見た要部を分解して示す概略分解斜視図である。
【図５】本発明に係る換気装置において室内側から見た要部を分解して示す概略分解斜視図である。
【図６】（ａ）〜（ｇ）は本発明に係る換気装置において扉を開動作または閉動作させる際の作動説明図である。
【図７】図６の（ａ）〜（ｇ）による扉の開動作時において作用点となる第１の当接端を説明するための要部断面図である。
【図８】図６の（ｇ）〜（ａ）による扉の閉動作時において作用点となる第２の当接端を説明するための要部断面図である。
【図９】（ａ）、（ｂ）は本発明に係る換気装置において扉を手動により強制的に閉動作させる手動閉機構部の作動説明図である。
【図１０】（ａ）、（ｂ）は従来から知られている換気装置の概略構造を説明するための概略断面図である。
【符号の説明】
【００５８】
１０…換気装置、１１…円筒状部材、１１ａ…フランジ部、１２…換気口、１３…環状段部、１３ａ…当接面、１４，１５…半円板形状の扉、１４ａ，１５ａ…支軸部、２０…扉開閉機構部、２１…本体部、２２…自己保持型の電磁ソレノイド、２３…可動ピストン、２３ａ…小径ロッド部、３０…リテーナ部材、３０ａ，３０ｂ…支軸保持部、３１…ホルダ部材、３１ａ，３１ｂ…係止片、３３…コイルばね、３３ａ…小径コイルばね、３５，３５…係合段部、３５ａ，３５ａ…第１の係合部、３５ｂ，３５ｂ…切り欠き、３５ｃ，３５ｃ…ストレート部、３６，３６…扉基端部面方向の側面、３７，３７…係合凸部、３７ａ，３７ａ…第２の係合部、３７ｂ，３７ｂ…ストレート部、４０…手動閉機構部（手動閉手段）、４１…フィルタ取付用リング枠、４１ａ…矩形状開口、４２…カバー部材、４３…操作レバー、４３ａ…係合ローラ、４４…スライダ（押圧子）、４５…押圧部、４６…コイルばね、４７…スペーサ。
【図１】
0004753362.tif 000002
【図２】
0004753362.tif 000003
【図３】
0004753362.tif 000004
【図４】
0004753362.tif 000005
【図５】
0004753362.tif 000006
【図６】
0004753362.tif 000007
【図７】
0004753362.tif 000008
【図８】
0004753362.tif 000009
【図９】
0004753362.tif 000010
【図１０】
0004753362.tif 000011